(57)【要約】【課題】装置が制御信号を受信したか否かを確認できると共に、早い操作環境に慣れた利用者であっても快適な操作を可能とする。【解決手段】マイコン２２は、リモコン２６のキー操作に基づいて入力される制御信号を複数記憶する制御信号領域をＲＡＭ２２ｃに備え、記憶された制御信号に対応するシンボルのＯＳＤ信号をＯＳＤ回路２８に生成させて映像信号に重畳して表示させ、制御信号領域に記憶された制御信号を入力された順に取得して実行し、実行完了した制御信号に対応するシンボルをＯＳＤ信号から消して映像信号から消去する。【選択図】図４
2008172346.tif 000002
【特許請求の範囲】
【請求項１】
映像を画面に表示するディスプレイと、
入力された映像信号に対応する映像を上記画面に表示させる映像信号処理回路と、
所定のフォーマットのパルスで表現したリモコン信号を受信して対応する制御信号を生成するリモコン受信回路と
操作を受け付ける複数のキーと、上記リモコン信号を上記リモコン受信回路に向けて送信するリモコン送信回路とを有し、同複数のキーの操作に応じたリモコン信号を所定のフォーマットで送出するリモコンと、
上記画面にＯＳＤ表示するためのＯＳＤ信号を生成するＯＳＤ回路と、
上記リモコン受信回路から上記制御信号を入力して対応するキー操作を検知することにより上記リモコンから操作入力を受け付け、受け付けた操作入力に対応したＯＳＤ信号を上記ＯＳＤ回路に生成させるマイコンと、
を備えるテレビジョンにおいて、
上記マイコンは、上記制御信号を記憶するための制御信号領域を有するＲＡＭと、上記制御信号に対応するシンボルを記憶したＲＯＭと、を備え、
受け付けた制御信号がチャンネルキーに対応するキー操作であれば上記制御信号領域をクリアし、
受け付けた制御信号がチャンネルキー以外のキー操作であれば上記制御信号領域の最も先頭に近い空き領域に該制御信号を記憶し、
上記制御信号領域に記憶された制御信号に対応するシンボルに基づくＯＳＤ信号を上記ＯＳＤ回路に生成させ、
上記制御信号領域の先頭に記憶された制御信号に対応する処理を実行し、
該処理が終了すると対応する制御信号を上記制御信号領域から消去すると共に該制御信号に対応するシンボルのＯＳＤ表示を停止させ、
上記制御信号領域の制御信号が領域の先頭から順に記憶されるように並び替えを行う
ことを特徴とするテレビジョン。
【請求項２】
映像信号を再生する映像信号再生部と、該映像信号再生部を制御して所望の映像信号を再生する制御部と、利用者の操作入力に基づいて制御信号を発生させて該制御部に入力する制御信号発生部とを備えた映像信号再生装置 において、
上記制御部は、
上記制御信号発生部から入力される制御信号を複数記憶する制御信号記憶手段と、
記憶された上記制御信号に対応するシンボルを映像信号に重畳して表示させるシンボル表示手段と、
記憶された制御信号を入力された順に取得して実行する制御実行手段と、
上記制御実行手段にて実行された制御信号に対応するシンボルを上記映像信号から消去するシンボル消去手段とを備えることを特徴とする映像信号再生装置。
【請求項３】
上記シンボル表示手段は、上記シンボルが右下から左下に向けて順に表示されるように重畳することを特徴とする上記請求項２に記載の映像信号再生装置。
【請求項４】
上記シンボル消去手段は、シンボルを消去すると、未実行の制御信号のシンボルを右にずらして表示させることを特徴とする上記請求項２または上記請求項３に記載の映像信号再生装置。
【請求項５】
上記制御部は、所定の制御信号が入力されると、上記制御信号記憶手段の記憶する制御信号を消去しかつ、上記制御実行手段の実行する制御を終了させたうえで該所定の制御信号を実行させる制御終了手段を備えることを特徴とする上記請求項２〜請求項４の何れか一項に記載の映像信号再生装置。
【請求項６】
上記制御信号発生部は、リモートコントロール装置であることを特徴とする上記請求項２〜請求項５の何れか一項に記載の映像信号再生装置。
【請求項７】
上記所定の制御信号は、テンキーの操作入力により発生された制御信号であることを特徴とする上記請求項５または請求項６に記載の映像信号再生装置。
【請求項８】
上記制御信号記憶手段は、記憶している制御信号が予め決められた数を超えると、入力された制御信号を記憶せずに破棄することを特徴とする上記請求項２〜請求項７の何れか一項に記載の映像信号再生装置。
【発明の詳細な説明】
【技術分野】
【０００１】
本発明は、テレビジョンおよび映像信号再生装置に関する。
【背景技術】
【０００２】
近年、携帯電話やゲーム機器などの処理能力の高い機器の普及が目覚しく、利用者は反応の早い操作環境に慣れているためリモコン操作能力が向上している。しかしながら、テレビジョンを始めとする映像信号再生装置では、装置がリモコン信号を受信したか否かが分からないため、何度もボタン操作を繰り返してしまうことがある。結果として意図しない操作が行われてしまい、利用者は不快な思いをすることになっていた。
【０００３】
このような状況を生じやすいボタン操作として、入力切替がある。この入力切替がは、一番マイコンの処理時間がかかる操作である。この入力切替で行われる処理は、リモコン信号の受信→マイコンでの処理→映像出力＋ＯＳＤ表示、のようになっている。従って、利用者がリモコンから信号を送ったにもかかわらず、受信しているのか分からないので何度かリモコン操作をしてしまう。すると目的の画面を出すのに時間もかかり、ユーザーを不快にさせることになる。
【０００４】
リモコンによる操作状況を利用者に知らしめる技術として、リモコンからの制御信号を受信するとこの制御信号に対応するアイコンを表示画面の所定位置に一定時間表示させること（特許文献１等。）、リモコンからの制御信号を受信すると画面を点滅させること（特許文献２等。）、が知られている。
【特許文献１】特開２００３−３０９７７８号公報
【特許文献２】特開２００５−３２８１７３号公報
【発明の開示】
【発明が解決しようとする課題】
【０００５】
上述の特許文献１，２の技術によれば、装置が制御信号を受信したか否かは確認できるものの、早い操作環境に慣れている利用者のリモコン操作能力に対応することはできなかった。
【０００６】
本発明は、上記課題に鑑みてなされたもので、装置が制御信号を受信したか否かを確認できると共に、早い操作環境に慣れた利用者であっても快適な操作が可能になるテレビジョンおよび映像信号再生装置の提供を目的とする。
【課題を解決するための手段】
【０００７】
上記課題を解決するために、本発明の映像再生装置では、映像信号を再生する映像信号再生部と、該映像信号再生部を制御して所望の映像信号を再生する制御部と、利用者の操作入力に基づいて制御信号を発生させて該制御部に入力する制御信号発生部とを備えた映像信号再生装置 において、上記制御部は、上記制御信号発生部から入力される制御信号を複数記憶する制御信号記憶手段と、記憶された上記制御信号に対応するシンボルを映像信号に重畳して表示させるシンボル表示手段と、記憶された制御信号を入力された順に取得して実行する制御実行手段と、上記制御実行手段にて実行された制御信号に対応するシンボルを上記映像信号から消去するシンボル消去手段とを備える構成としてある。
上記構成において、上記制御信号記憶手段が上記制御信号発生部から入力される制御信号を複数記憶し、上記シンボル表示手段が記憶された上記制御信号に対応するシンボルを映像信号に重畳して表示させ、上記制御実行手段が記憶された制御信号を入力された順に取得して実行し、上記シンボル消去手段が上記制御実行手段にて実行された制御信号に対応するシンボルを上記映像信号から消去する。
【０００８】
即ち、利用者の操作入力に基づいた制御信号に対応するシンボルが映像に表示されて、制御信号が制御部に受け付けられたことを利用者に認識可能とするとともに、制御信号が実行されて処理が終了する以前に別の制御信号が入力されても上記制御信号記憶手段に記憶されて映像にシンボル表示されるため、複数の制御信号が制御部に受け付けられていることを利用者が視認可能となる。また、利用者は、受け付けられている制御信号の数や種類も認識できる。
【０００９】
そして、上記シンボル表示手段は、上記シンボルが右下から左下に向けて順に表示されるように重畳する構成としてもよい。このように構成すると、シンボルが視聴の邪魔になりにくく、さらに順に表示されるため制御の受け付け順と処理順とが一目瞭然とな利用者の利便性が向上する。
【００１０】
さらに、上記シンボル消去手段は、シンボルを消去すると、未実行の制御信号のシンボルを右にずらして表示させる構成としてもよい。このように構成すると、未実行の処理の数が数えやすくなり、右下端からのシンボル表示されている距離を視認して、未実行の処理の数を概算することが可能となり、利用者の利便性が向上する。
【００１１】
さらに、上記制御部は、所定の制御信号が入力されると、上記制御信号記憶手段の記憶する制御信号を消去しかつ、上記制御実行手段の実行する制御を終了させたうえで該所定の制御信号を実行させる制御終了手段を備える構成としてもよい。この構成によれば、未実行の処理が複数あって、処理が終了するまでに所定時間を要する場合であっても、この所定の制御信号を発生する操作入力を利用者が行うことで、これら未実行の処理を全てキャンセルすることが出来る。すなわち、所定の操作にキャンセルキーとしての機能を併せ持たせる。
【００１２】
さらに、上記制御信号発生部は、リモートコントロール装置であってもよい。即ち、近年どのような映像信号再生装置であってもリモートコントロール装置を備えるようになっており、装置本体の側には操作パネルなどがほとんど無い構成が多く見られる。また、リモートコントロール装置にしか割り当てられていない機能も多く、リモートコントロール装置を無くすと装置の操作に支障を来たす状況も見られる。従って、制御信号発生部をリモートコントロール装置とすることにより、多くの利用者の利便性を図ることが可能となる。
【００１３】
さらに、上記所定の制御信号は、テンキーの操作入力により発生された制御信号であってもよい。このテンキーとしてはチャンネルキーも含む概念であり、数字に対応したキーを並べて配列したキーの意味である。即ち、チャンネルキー等の頻繁に用いられるキーにキャンセルキーとしての機能を併せ持たせることにより、所望のタイミングで操作のやり直しや、視聴処理や再生処理を開始させることができる。
【００１４】
さらに、上記制御信号記憶手段は、記憶している制御信号が予め決められた数を超えると、入力された制御信号を記憶せずに破棄する構成としてもよい。即ち、メモリ容量を圧迫を避けると共に、処理能力を逼迫することがないようにすることができる。また不測の状況で、リモコンのキーが押されたままになっても、制御部の処理能力を超えた処理が要求されることがない。
【００１５】
さらに、映像信号再生装置のより具体的な構成例として、映像を画面に表示するディスプレイと、入力された映像信号に対応する映像を上記画面に表示させる映像信号処理回路と、所定のフォーマットのパルスで表現したリモコン信号を受信して対応する制御信号を生成するリモコン受信回路と操作を受け付ける複数のキーと、上記リモコン信号を上記リモコン受信回路に向けて送信するリモコン送信回路とを有し、同複数のキーの操作に応じたリモコン信号を所定のフォーマットで送出するリモコンと、上記画面にＯＳＤ表示するためのＯＳＤ信号を生成するＯＳＤ回路と上記リモコン受信回路から上記制御信号を入力して対応するキー操作を検知することにより上記リモコンから操作入力を受け付け、受け付けた操作入力に対応したＯＳＤ信号を上記ＯＳＤ回路に生成させるマイコンと、を備えるテレビジョンにおいて上記マイコンは、上記制御信号を記憶するための制御信号領域を有するＲＡＭと、上記制御信号に対応するシンボルを記憶したＲＯＭと、を備え、受け付けた制御信号がチャンネルキーに対応するキー操作であれば上記制御信号領域をクリアし、受け付けた制御信号がチャンネルキー以外のキー操作であれば上記制御信号領域の最も先頭に近い空き領域に該制御信号を記憶し、上記制御信号領域に記憶された制御信号に対応するシンボルに基づくＯＳＤ信号を上記ＯＳＤ回路に生成させ、上記制御信号領域の先頭に記憶された制御信号に対応する処理を実行し、該処理が終了すると対応する制御信号を上記制御信号領域から消去すると共に該制御信号に対応するシンボルのＯＳＤ表示を停止させ、上記制御信号領域の制御信号が領域の先頭から順に記憶されるように並び替えを行う構成としてある。
【発明の効果】
【００１６】
以上説明したように本発明によれば、複数の制御信号が制御部に受け付けられていることを利用者が視認可能な映像信号再生装置を提供することができる。
また請求項３にかかる発明によれば、利用者の利便性が向上する。
そして請求項４にかかる発明によれば、利用者の利便性が向上する。
さらに請求項５にかかる発明によれば、利用者の利便性が向上する。
また請求項６にかかる発明によれば、多くの利用者の利便性を図ることが可能となる。
そして請求項７にかかる発明によれば、所望のタイミングで操作のやり直しや、視聴処理や再生処理を開始させることができる。
また請求項８にかかる発明によれば、メモリ容量を圧迫を避けると共に、処理能力を逼迫することがないようにすることができる。また制御部の処理能力を超えた処理が要求されることがない。
さらに請求項１のような、より具体的な構成において、上述した請求項２〜請求項８の各発明と同様の作用を奏することはいうまでもない。
【発明を実施するための最良の形態】
【００１７】
以下、下記の順序に従って本発明の実施形態を説明する。
（１）テレビジョンの構成：
（２）入力支援処理：
【００１８】
（１）テレビジョンの構成： 
以下、図１〜６を参照して本発明の実施形態について説明する。本実施形態では、映像信号再生装置としてテレビ放送信号を受信して再生可能なテレビジョンを採用して説明するが、映像信号を再生可能な装置であれば、記録媒体（ディスク、ビデオ等）再生装置や、記録媒体再生装置とテレビジョンの複合機等様々なものが採用可能である。
【００１９】
図１は、テレビジョン１００の構成の概略を示すブロック図である。同図に示すように、テレビジョン１００は、チューナ回路１０と、外部入力端子１１と、スイッチ回路１２と、映像信号処理回路１４と、ディスプレイ１６と、音声信号処理回路１８と、スピーカ２０と、マイコン２２と、リモコン受信回路２６と、ＯＳＤ回路２８と、リモコン６０とを含んで構成される。
【００２０】
チューナ回路１０と映像信号処理回路１４とマイコン２２とは、汎用的なシリアルバスであるＩＩＣバス３０で接続されており、所定の通信プロトコルに従って互いにデータの送受信可能となっている。無論、ＩＩＣバス３０にて接続される対象はこれらに限られるものではなく、他の構成が接続されても構わない。
【００２１】
マイコン２２は、ＣＰＵ２２ａ、ＲＯＭ２２ｂ、ＲＡＭ２２ｃ、入出力（Ｉ／Ｏ）回路２２ｄを内部に備えており、ＲＯＭ２２ｂに記憶された各種プログラムをＲＡＭ２２ｃをワークエリアとしつつＣＰＵ２２ａにて演算を行ってテレビジョン１００全体の制御を行う。また、入出力回路２２ｄから制御信号が入力されると、マイコン２２はＲＡＭ２２ｂの所定の領域に一旦記憶し、記憶された順に制御信号を読み込んで対応する処理を実行する。即ち、ＲＡＭ２２ｂは、制御信号を一時的に記憶する領域を有し、所定数までの制御信号を一時的にＲＡＭ２２ｂ上に保持できる。
【００２２】
チューナ回路１０は、マイコン２２の制御により、アンテナ１０ａを介して入力されるテレビ放送帯域に対応した所望周波数のテレビジョン信号を受信するとともに、この受信したテレビジョン信号から所要の信号だけを抽出してスイッチ回路１２に出力する。
【００２３】
また、テレビジョン１００には、外部入力端子１１からも映像信号や音声信号を入力可能となっている。この外部入力端子１１としては、コンポジット端子やコンポーネント端子等のアナログの端子、ＨＤＭＩ端子等のデジタルの端子、等、様々なものが採用可能である。外部入力端子１１としては、１系統であっても良いし、複数系統であってもよい。
【００２４】
スイッチ回路１２には、チューナ回路１０と外部入力端子１１とから信号が入力されており、マイコン２２の制御に従って何れか一方から入力された信号を切り換えて有効とし、映像信号処理回路１４に供給する。これによりスイッチ回路１２はチューナ回路１０と外部入力端子１１との何れか一方からの入力に基づく映像と音声信号を出力可能とする。外部入力端子１１として複数系統の端子を有する場合は、スイッチ回路１２でチューナ回路１０からの入力と各系統の入力とのいずれかが順に切り替えられる。
【００２５】
より具体的には、スイッチ回路１２では切替順が予め定められており、例えば、（１）チューナ、（２）外部入力１、（３）外部入力３、・・・、のように切り換わるようになっている。そして、チューナを選択中にマイコン２２から切替信号が入力されると、外部入力１が選択されて外部入力１から入力される映像信号と音声信号を出力する。
【００２６】
映像信号処理回路１４は、画素数変換回路と、画質調整回路と、出力処理回路とを有しており、スイッチ回路１２から入力される映像信号に所定の信号処理を行って液晶パネル１６に出力する。画素数変換回路は映像信号が入力されると、映像信号に対してスケーリング処理を行いつつ、液晶パネルに表示される１画面分のＲＧＢ信号を生成する。画質調整回路は、画素数変換回路によってスケーリング処理が施されたＲＧＢ信号に対して、ブライトネス、コントラスト、黒バランスおよび白バランス、シャープネス等の各種調整を行う。出力処理回路は、画質調整が施されたＲＧＢ信号に対して、ガンマ補正、ディザ処理等を行うとともに、背景信号、ＯＳＤ信号、ブランキング信号等を付加してディスプレイに出力し、画像を表示させる。
【００２７】
音声信号処理回路１８は、チューナ回路１０から入力される音声信号に増幅、バランス調整、スピーカ数に合わせた出力チャンネル数の調整などの所定の処理を行ってスピーカ２０に出力し、音声を再生させる。
【００２８】
ディスプレイ１６は、例えば液晶パネルとこの液晶パネルを駆動する駆動回路とから構成され、駆動回路が映像信号処理回路１４から入力される映像信号に基づいて駆動信号を生成し、この駆動信号により液晶パネルの各画素を駆動する。無論、ディスプレイ１６としては、プラズマディスプレイパネルと駆動回路、垂直偏向回路や水平偏向回路等により駆動される受像管、等も考えられる。
【００２９】
ＯＳＤ回路２８は、マイコン２２の制御信号（指示）に基づいて各種表示に対応するＯＳＤ信号を生成して映像信号処理回路１４に出力し、映像信号処理回路１４から出力される映像信号にＯＳＤ信号を重畳させる。例えば、ＲＯＭ２２ｂに格納された画像データを取得して、該画像データに基づくＯＳＤ信号を発生させ、映像信号処理回路１４の画質調整回路で映像信号にＯＳＤ信号を付加してディスプレイ１６に出力させる。
【００３０】
リモコン６０は操作を受け付ける複数のキーと、リモコン信号をリモコン受信回路２６に向けて送信するリモコン送信回路とを有し、複数のキーの操作に応じたリモコン信号をパルスで表現した所定のフォーマットで送出する。例えば、図２に示すリモコン６０を用いて所望のチャンネルを受信させるべく操作すると、リモコン送信部６１より対応するリモコン信号が送出される。そして、マイコン２２がリモコン受信回路２６を介してリモコン信号を受信し、対応するチャンネルを受信させるように周波数データをチューナ回路１０に送出する。
【００３１】
また図２においてリモコン６０は、電源キー６２、メニューキー６３、入力切換キー６７、カーソルキー６４、音量調節キー６５、テンキー（チャンネルキー）６６、を備えている。マイコン２２がメニューキー６３の押下げを検知すると、テレビジョン１００の各種調整を行うためのメニュー画面のＯＳＤ信号をＯＳＤ回路２８に生成させる。また入力切換キー６７の押下げをマイコン２２が検知すると、マイコン２２はスイッチ回路１２に切替信号を出力してスイッチ回路１２にて有効にする入力を切り替える。
【００３２】
図３はリモコン６０の概略構成を示すブロック図である。リモコン６０は、制御回路５２を備え、同制御回路５２に接続された操作キー５１（図では３つの操作キーを例示）は図２の電源キー６２、メニューキー６３、入力切換キー６７、カーソルキー６４、音量調節キー６５、テンキー（チャンネルキー）６６にあたる。また制御回路５２にはリモコン送信回路５６が接続されている。
【００３３】
リモコン送信回路５６は、図示しない赤外線発光素子を有しており、制御回路５２から出力される信号に対応したリモコン信号（無線信号）が、外部へ送信されるようになっている。制御回路５２は、ＣＰＵ５３、ＲＯＭ５４、ＲＡＭ５５等を備えている。そして、ＣＰＵ５３がＲＡＭ５５をワークエリアとして利用しながらＲＯＭ５４に記憶された所定のプログラムを実行し、リモコン６０全体の制御を行う。この構成により、リモコン６０は、操作キーから操作入力を受け付け、入力された内容に対応する制御データを生成し、リモコン信号に変換して送信する。
【００３４】
リモコン６０とリモコン受信回路２６が制御信号発生部およびリモートコントロール装置を構成し、マイコン２２が制御部を構成し、映像信号処理回路１４もしくは映像信号処理回路１４とチューナ回路１０の組合せが映像信号再生部を構成する。
【００３５】
（２）入力支援処理： 
一般に、複数回のリモコン操作がなされた場合は、リモコン操作に対応する処理を実行するマイコンは、前回のリモコン操作に対応する処理が終了していたら次のリモコン操作を受け付けて実行する、もしくはこれら複数回のリモコン操作に対応した制御信号を受け付けて、処理能力に応じて受け付けた順に制御信号に対応する処理を実行する。
【００３６】
このような処理に使用されるマイコンにおいて、ＲＯＭ２２ｂやＲＡＭ２２ｃ等のメモリ（記憶領域）は増加してきており、現在ではメモリの一部を制御信号の記憶専用に使用したとしてもマイコンの処理能力にさほど影響を与えなくなってきている。
【００３７】
そこで、マイコンを、リモコンからの制御信号を受け付けると所定の記憶領域に記憶し、記憶した制御信号を順次読み出して実行するようにする。即ち、ＲＡＭ２２ｃの所定領域を制御信号の記憶のための領域（以下、制御信号領域と称する。）とし、この領域に未処理の制御信号を記憶可能とする。本実施形態では、ＲＡＭ２２ｃにＮｏ１〜Ｎｏ４までの領域を形成し、制御信号を４つまで記憶可能な構成としてあるが、無論、２つ以上の制御信号を記憶可能な構成であれば様々な構成が採用可能である。
【００３８】
また、未処理の制御信号が存在することを利用者に知らしめるために、各制御信号に特定のシンボル（図柄、マーク、文字列等。）を予め対応させておき、未処理の制御信号に対応するシンボルを画面に表示する。即ち、マイコン２２は、ＲＡＭ２２ｃの制御信号領域に制御信号が記憶されると、記憶された制御信号に対応するシンボルのＯＳＤ信号をＯＳＤ回路２８に生成させ、映像信号の所定位置に重畳させる。これにより制御信号がマイコン２２に受け付けられたか否かを利用者が認識可能になる。
【００３９】
そして、未処理の制御信号が処理されると（もしくは処理が開始されると）、マイコン２２はＯＳＤ回路２８に処理された制御信号のシンボルのＯＳＤ信号の出力を停止させ、映像信号に対するシンボルの重畳を終了させる。これにより処理の実行／未実行を視覚的（直感的）に視聴者が認識可能となる。
【００４０】
また、視聴者の利便性を考慮して、シンボルの表示位置は、時刻表示やテロップなどと重なりにくい右下に表示する。そして、処理優先度の最も高い制御信号のシンボルを右端に表示させ、左に行くほど処理順が後になる制御信号のシンボルを表示する。処理が終了すると、終了した処理の制御信号のシンボルを消去して、未処理の制御信号のシンボルを右にずらして表示する。よって、視聴者は、未処理の制御信号がどのような順で処理されるかを視覚的に確認できる。また未処理の制御信号のシンボルは、常に右端から順に並ぶため、残っている未処理の制御の数を容易に確認できる。
【００４１】
また、テンキーなどのキーは、テレビジョンではチャンネル選択に対応しており、記録媒体再生装置であればチャプター番号等に対応付けられており、その他の映像信号再生装置であっても、視聴者にとって優先度の高い処理に対応付けられていることが多い。従って、テンキー等の特定の操作に対応付けられたキー（以下優先キーと称する。）が操作されると、ＲＡＭ２２ｃに記憶されている未処理の制御信号も、現在処理中の制御信号もキャンセルされるようにする。
【００４２】
即ち、マイコン２２は、入力された制御信号をチェックして、テンキーに対応付けられた制御信号が入力されると、ＲＡＭ２２ｃの制御信号領域をクリアし、かつ制御信号に基づいて実行されている処理を強制的に終了させる。そしてテンキーに対応付けられた制御信号の処理を優先的に実行する。これにより、視聴者にとって優先度の高い操作を妨げずに本発明の目的を達しうる構成となる。
【００４３】
以下、図４のフローチャートを参照して、視聴者がリモコン６０のキーを押下げして、このキー操作に対応する制御信号が入力されたときのマイコン２２の処理を説明する。なおこの処理はリモコン６０からリモコン信号が入力されたときのみならず、例えばテレビジョン１００に操作パネルを備えさせて、該操作パネルの操作入力をマイコン２２が受け付けたとき等にも適用可能である。この処理は、マイコン２２が入出力回路２２ｄから制御信号を受け付けたときに開始される。
【００４４】
処理が開始されると、ステップＳ１０で、押下げされたキーがテンキー（優先キー）であるか否かを判断する。利用者がリモコン６０のキーを押下げ操作すると、リモコン６０がリモコン送信回路５６でリモコン信号を生成してリモコン送信部６１からリモコン信号を送出する。するとリモコン受信回路２６がリモコン信号を受信して、対応する制御信号を生成して入出力回路２２ｄに出力し、入出力回路２２ｄを介してマイコン２２が制御信号を受け付ける。
【００４５】
マイコン２２は、制御信号とこの制御信号がテンキー（優先キー）であるか否かを示す情報とを対応付けた一覧をＲＯＭ２２ｂに記憶しており、この一覧を参照して受け付けた制御信号がテンキーに対応する制御信号であるか否かを判断する。無論、この処理プログラム自体に制御信号がテンキー（優先キー）であるか否かを示す情報を組み込んであっても構わない。
【００４６】
ステップＳ１０でテンキーに対応する制御信号であると判断されると、条件成立となり、ステップＳ３４に進む。一方、テンキーに対応する制御信号ではないと判断されると、ステップＳ１２に進む。
【００４７】
ステップＳ１０で条件成立となりステップＳ３４に進むと、制御信号領域に記憶されている制御信号の全てを消去して、テンキーに対応する処理を実行する。即ち、テレビジョン１００であればチャンネル番号に対応する選局信号を生成して、チューナ回路１０に出力して、入力されたテンキー番号に対応するテレビジョン信号を選局させる。
【００４８】
ステップＳ１２では、記録する領域に空きがあるか否かを判断する。即ち、ＲＡＭ２２ｃの制御信号領域の領域Ｎｏ．１〜Ｎｏ．４までをスキャンして、制御信号が記憶されていない領域が存在するか否かを判断する。何れかの領域に空きが存在するならば、条件成立としてステップＳ１４に進み、何れの領域にも制御信号が記憶されていて空きが存在しないならば入力された制御信号を破棄して条件不成立としてステップＳ２０に進む。即ち、記憶している制御信号が予め決められた数を超えると、入力された制御信号を記憶せずに破棄する。
【００４９】
ステップＳ１４では、前から順番にメモリの空きを探す。即ち、ＲＡＭ２２ｃの制御信号領域を領域Ｎｏ．１から順にスキャンして、制御信号の記憶されていない領域を探す。このステップＳ１４では、制御信号領域に空きが存在することはステップＳ１２で確認されているため、最も先頭に近い空きに制御信号を記憶するために、記憶する対象となる領域を決定するための処理である。従って、この処理は上記ステップＳ１２のスキャン処理と同時に行われても構わない。
【００５０】
最も先頭に近い空きが確認されたらステップＳ１６に進み、ステップＳ１４で探し当てた空き領域に制御信号を記録する。これにより、領域Ｎｏ．１〜Ｎｏ．４に入力された時系列で制御信号が記憶されていき、後述の制御信号の読み出しと実行とを行う際に、先頭の領域から読み出して実行すればよいことになる。
【００５１】
このように制御信号を領域に記憶している最中にも、視聴者が別の操作を行って新たな制御信号を受け付けている可能性がある。そこで、ステップＳ１８では、ステップＳ１０〜Ｓ１６実行中に他の制御信号を受信したか否かを判断する。他の制御信号を受信していれば条件成立としてステップＳ１０に戻ってステップＳ１０からの処理を繰り返し、他の制御信号を受信していなければ条件不成立としてステップＳ２０に進む。
【００５２】
ステップＳ２０では、記録された制御信号に対応付けられたシンボルを画面にＯＳＤ表示する。即ち、各制御信号に対応付けられたシンボルがＲＯＭ２２ｂに記憶されているため、制御信号領域に記憶されている制御信号に対応づけられたシンボルを取得し、ＯＳＤ回路２８に出力する。すると、ＯＳＤ回路２８は、シンボルに基づいてＯＳＤ信号を生成し、このＯＳＤ信号を映像信号処理回路１４に出力して、ＯＳＤ信号を重畳した映像信号を生成させる。
【００５３】
図５にシンボルが表示された画面の一例を示した。同図に示すように、このシンボルの表示位置は、領域Ｎｏ．１に記憶された制御信号に対応付けられているシンボル（シンボルＡとする。）を画面右下であり、領域Ｎｏ．２に記憶された制御信号に対応付けられているシンボル（シンボルＢとする。）をシンボルＡの左側であり、領域Ｎｏ．３に記憶された制御信号に対応付けられているシンボル（シンボルＣとする。）をシンボルＢの左側であり、領域Ｎｏ．４に記憶された制御信号に対応付けられているシンボル（シンボルＤとする。）をシンボルＣの左側である。無論、信号が記録されていない場合は、シンボルは表示されない。
【００５４】
ステップＳ２２では、制御信号領域の先頭に記録された制御信号を実行する。即ち、領域Ｎｏ．１の制御信号を取得して、この制御信号に対応する処理を実行する。そしてステップＳ２４に進み、ステップＳ２２で実行した処理が終了したか否かを判断する。処理が終了すると条件成立としてステップＳ２６に進み、処理が終了していないと処理が終了するまでステップＳ２４を繰り返す。
【００５５】
ステップＳ２６では、制御信号領域の先頭に記録された制御信号を消去すると共に、消去した制御信号に対応するシンボルを画面から消去する。即ち、ステップＳ２４で処理が終了した制御信号を制御信号領域から消去し、ＯＳＤ回路２８に対して制御信号を出力してこの消去した制御信号に対応するシンボルのＯＳＤ信号の生成と出力を停止させる。
【００５６】
ステップＳ２８では、制御信号領域の領域Ｎｏ．２に制御信号が記録されているか否かを判断する。つまり、制御信号は先頭から順に記憶されているため、領域Ｎｏ．２に制御信号が記憶されているか否かを判断することにより、ステップＳ２４で実行終了した制御信号が制御信号領域に記憶された最後の制御信号であるか否かが判断される。領域Ｎｏ．２に制御信号が記憶されていれば条件成立としてステップＳ３０に進み、領域Ｎｏ．２に制御信号が記憶されていなければ条件不成立として処理を終了する。
【００５７】
ステップＳ３０では、制御信号領域に記録されている制御信号を並び替える。つまり領域Ｎｏ．２に記憶されていた制御信号を領域Ｎｏ．１に、領域Ｎｏ．３に記憶されていた制御信号を領域Ｎｏ．２に、領域Ｎｏ．４に記憶されていた制御信号を領域Ｎｏ．３に、というように、全体の記憶順を１つずつ先頭側にずらして、領域Ｎｏ．１の空きを埋める。並び替えが終了するとステップＳ３２に進む。
【００５８】
ステップＳ３２では、新しい制御信号を受信したか否かを判断する。つまりステップＳ１８と同様に、ステップＳ２０〜Ｓ３０を実行中にも、視聴者が別の操作を行って新たな制御信号を受け付けている可能性がある。そこで、ステップＳ３２では、ステップＳ２０〜Ｓ３０実行中に他の制御信号を受信したか否かを判断する。他の制御信号を受信していれば条件成立としてステップＳ１０に戻ってステップＳ１０からの処理を繰り返し、他の制御信号を受信していなければ条件不成立としてステップＳ２０に進む。
【００５９】
ところで、ステップＳ３２で条件不成立となりステップＳ２０に進むと、並び替えられた制御信号に基づいて画面にシンボル表示される。図６は、ステップＳ２０で図５のようにシンボル表示された後、ステップＳ３０で制御信号が並び替えられて、並び替え後にステップＳ２０に進んでシンボル表示された画面例である。図５で右下端から二番目に表示されていたシンボルが右下端に表示され、図５において右下端から３番目に表示されていたシンボルが右下端から２番目に表示され、図５において右下端から４番目に表示されていたシンボルが右下端から３番目に表示されている。つまり、処理の終了したシンボルが消去され、処理待ちしていたシンボルが右につめて表示されている。
【００６０】
以上、ステップＳ１０でテンキーのキー操作に対応する制御信号を入力されて処理を終了するマイコン２２が制御終了手段を構成し、ステップＳ１０で条件成立となってからステップＳ１２〜Ｓ１６の処理およびステップＳ１８とＳ３２の処理を実行するマイコン２２が制御信号記憶手段を構成し、ステップＳ２０の処理を実行するマイコン２２がシンボル表示手段を構成し、ステップＳ２２とＳ２４の処理を実行するマイコン２２が制御実行手段を構成し、ステップＳ２６〜３０の処理を実行してからステップＳ２０の処理を実行するマイコン２２がシンボル消去手段を構成する。
【００６１】
以上説明したように、本実施形態によれば、以下のような作用効果を奏する。
利用者が入力切換キーを押下げ操作すると、この入力切換キーに対応した制御信号がＲＡＭ２２ｃの制御信号領域に記憶される。そして、この入力切換の制御信号に対応したシンボルが画面右下に表示される。これにより、利用者は入力切換の制御信号が受け付けられたことを視覚的に、かつ制御単位毎に知ることができる。
【００６２】
また、利用者が仮に入力切換キーを押下げ操作しても画面が切り換わるまでにタイムラグが生じてしまって、複数回入力切換キーを押下げしてしまって所望の入力以外に切りえてしまった場合も、その押下げ回数分のシンボルが画面に表示される。従って、利用者はこの表示を視認しつつ、所望の入力となるまでさらに入力切換キーを押下げ操作することが可能となる。
【００６３】
また、このように複数の制御信号を順に登録できるため、複数の処理を順に実行させて、その変化を連続して実行させ、その変化を利用することも可能となる。例えば、キー操作から処理が実行されるまでにタイムラグが生ずる処理であれば、このタイムラグを利用して表示画面の切替を予め入力しておき、キー操作に煩わされずに連続的に切り換わる表示画面の視聴に専念する等、である。無論、利用の仕方は、利用者の想像力次第で様々である。
【００６４】
またチャンネルキー（テンキー）、の押下げにより、それまでに記憶されていた全てのキー操作を無効にして、チャンネル選択などを行うことが出来るため、複数の処理を登録して処理されるのを待っている状態であっても、所望のタイミングでテレビ放送の視聴を開始することが可能となる。
【００６５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００６６】
【図１】テレビジョンの構成の概略を示すブロック図である。
【図２】リモコンの一例を示す斜視図である。
【図３】リモコン６０の概略構成を示すブロック図である。
【図４】マイコンの処理を示すフローチャートである。
【図５】画面の一例である。
【図６】画面の一例である。
【符号の説明】
【００６７】
１０…チューナ回路、１０ａ…アンテナ、１１…外部入力端子、１２…スイッチ回路、１４…映像信号処理回路、１６…ディスプレイ、１８…音声信号処理回路、２０…スピーカ、２２…マイコン、２２ａ…ＣＰＵ、２２ｂ…ＲＯＭ、２２ｃ…ＲＡＭ、２２ｄ…入出力回路、２６…リモコン受信回路、２８…ＯＳＤ回路、３０…ＩＩＣバス、５１…操作キー、５２…制御回路、５３…ＣＰＵ、５６…リモコン送信回路、６０…リモコン、６１…リモコン送信部、６２…電源キー、６３…メニューキー、６４…カーソルキー、６５…音量調節キー、６６…テンキー（チャンネルキー）、６７…入力切換キー、１００…テレビジョン
【図１】
2008172346.tif 000003
【図２】
2008172346.tif 000004
【図３】
2008172346.tif 000005
【図４】
2008172346.tif 000006
【図５】
2008172346.tif 000007
【図６】
2008172346.tif 000008